(57)【要約】  【課題】  レーザビームを照射することにより、予め他の可視情報が記録されている光ディスクのレーベル面に新たな可視情報を視認性良く記録することができる光ディスク装置を提供する。  【解決手段】  レーザビームＬ１で電子情報の記録、第１／第２の強度のレーザビームＬ２で可視情報の記録／消去がされるＤＶＤ５０を対象とする光ディスク装置であって、レーザビームＬ２の強度が第１または第２の強度になるようにＬＰＣ回路１４ｂに強度指示信号を与えるレーザビーム強度指示手段１７ａを有し、電子情報の記録を行う際には、記録する電子情報に基づいてレーザビームＬ１が出射されるとともに第１の強度のレーザビームＬ２が出射されるように制御し、可視情報の記録を行う際には、レーザビームＬ１が出射されるとともに第２の強度のレーザビームＬ２が記録する可視情報に基づいて出射されるように制御するディスク制御部１７を備える。【選択図】      図３
2006155812.tif 000002
【特許請求の範囲】
【請求項１】
グルーブが形成されており第１のレーザビームが照射されることにより電子情報の再生
または記録がなされる情報記録層と、第１のレーザビームとは異なる波長帯域の第２のレ
ーザビームが第１の強度で照射された場合には可視情報が消去され第２の強度で照射され
た場合には可視情報が記録されるレーベル層と、前記情報記録層とレーベル層との間に設
けられ第１のレーザビームについての反射率が第２のレーザビームについての反射率より
も高い二色性反射膜とを備えた光ディスクに対して、第１、第２のレーザビームを前記情
報記録層側から照射することにより電子情報及び可視情報の記録を行う光ディスク装置で
あって、
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、前記対物レンズを前記光ディスクの径方向に駆動
するトラッキングアクチュエータと、前記対物レンズを光軸方向に駆動するフォーカスア
クチュエータと、第１のレーザビームの前記二色性反射膜からの反射光を受光し受光した
反射光に基づく受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
第２のレーザダイオードドライバを制御して第２のレーザダイオードから出射される第
２のレーザビームの強度を与えられた強度指示信号に基づく強度に調整するレーザパワー
コントロール回路と、
第２のレーザビームの第１、第２の強度を示すレーザビーム強度情報をインターネット
を介して取得するレーザビーム強度情報取得手段と、
出射される第２のレーザビームの強度が前記レーザビーム強度情報取得手段で取得した
レーザビーム強度情報に基づく第１の強度または第２の強度になるように前記レーザパワ
ーコントロール回路に強度指示信号を与えるレーザビーム強度指示手段を有し、前記情報
記録層に電子情報の記録を行う際には、記録する電子情報に基づいて第１のレーザダイオ
ードドライバを駆動するとともに第１の強度の第２のレーザビームが出射されるように第
２のレーザダイオードドライバを駆動するように制御し、前記レーベル層に可視情報の記
録を行う際には、第１のレーザダイオードドライバを駆動するとともに第２の強度の第２
のレーザビームが記録する可視情報に基づいて出射されるように第２のレーザダイオード
ドライバを駆動するように制御する制御手段と、
を備えたことを特徴とする光ディスク装置。
【請求項２】
第１のレーザビームが照射されることにより電子情報の再生または記録がなされ第２の
レーザビームが第１の強度で照射された場合には可視情報が消去され第２の強度で照射さ
れた場合には可視情報が記録される光ディスクに対して、第１、第２のレーザビームを照
射することにより電子情報及び可視情報の記録を行う光ディスク装置であって、
出射される第２のレーザビームの強度を与えられた強度指示信号に基づく強度に調整す
るレーザパワーコントロール回路と、
出射される第２のレーザビームの強度が第１の強度または第２の強度になるように前記
レーザパワーコントロール回路に強度指示信号を与えるレーザビーム強度指示手段を有し
、電子情報の記録を行う際には、記録する電子情報に基づいて第１のレーザビームが出射
されるとともに第１の強度の第２のレーザビームが出射されるように制御し、可視情報の
記録を行う際には、第１のレーザビームが出射されるとともに第２の強度の第２のレーザ
ビームが記録する可視情報に基づいて出射されるように制御する制御手段と、
を備えたことを特徴とする光ディスク装置。
【請求項３】
グルーブが形成されており第１のレーザビームが照射されることにより電子情報の再生
または記録がなされる情報記録層と、第１のレーザビームとは異なる波長帯域の第２のレ
ーザビームが第１の強度で照射された場合には可視情報が消去され第２の強度で照射され
た場合には可視情報が記録されるレーベル層と、前記情報記録層とレーベル層との間に設
けられ第１のレーザビームについての反射率が第２のレーザビームについての反射率より
も高い二色性反射膜とを備えた光ディスクに対して、第１、第２のレーザビームを前記情
報記録層側から照射することにより電子情報及び可視情報の記録を行う光ディスク装置で
あって、
出射される第２のレーザビームの強度を与えられた強度指示信号に基づく強度に調整す
るレーザパワーコントロール回路と、
出射される第２のレーザビームの強度が第１の強度または第２の強度になるように前記
レーザパワーコントロール回路に強度指示信号を与えるレーザビーム強度指示手段を有し
、前記情報記録層に電子情報の記録を行う際には、記録する電子情報に基づいて第１のレ
ーザビームが出射されるとともに第１の強度の第２のレーザビームが出射されるように制
御し、前記レーベル層に可視情報の記録を行う際には、第１のレーザビームが出射される
とともに第２の強度の第２のレーザビームが記録する可視情報に基づいて出射されるよう
に制御する制御手段と、
を備えたことを特徴とする光ディスク装置。
【請求項４】
第２のレーザビームの第１、第２の強度を示すレーザビーム強度情報をインターネット
を介して取得するレーザビーム強度情報取得手段を備え、前記レーザビーム強度指示手段
は、出射される第２のレーザビームの強度が前記レーザビーム強度情報取得手段で取得し
たレーザビーム強度情報に基づく第１の強度または第２の強度になるように前記レーザパ
ワーコントロール回路に強度指示信号を与えることを特徴とする請求項３に記載の光ディ
スク装置。
【請求項５】
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、前記対物レンズを前記光ディスクの径方向に駆動
するトラッキングアクチュエータと、前記対物レンズを光軸方向に駆動するフォーカスア
クチュエータと、第１のレーザビームの前記二色性反射膜からの反射光を受光し受光した
反射光に基づく受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
をさらに備え、前記制御手段は、前記情報記録層に電子情報の記録を行う際には、記録
する電子情報に基づいて第１のレーザダイオードドライバを駆動するとともに第１の強度
の第２のレーザビームが出射されるように第２のレーザダイオードドライバを駆動するよ
うに制御し、前記レーベル層に可視情報の記録を行う際には、第１のレーザダイオードド
ライバを駆動するとともに第２の強度の第２のレーザビームが記録する可視情報に基づい
て出射されるように第２のレーザダイオードドライバを駆動するように制御することを特
徴とする請求項３または請求項４に記載の光ディスク装置。
【発明の詳細な説明】
【技術分野】
【０００１】
本発明は、レーザビームを照射することにより光ディスクに可視情報を記録することが
できる光ディスク装置に関するものである。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の情報を再生したり
、そのような情報をその光ディスクに記録したりする光ディスク装置が提供されている。
【０００３】
また、情報が記録された光ディスクは、その記録されている内容が外観で認識できれば
便利であるため、ユーザは専用のプリンタ装置を用いて、その光ディスクに記録されてい
る内容を示す文字等（例えば、曲名や映画タイトル等）を円形のシートに印刷し、このシ
ートをその光ディスクの記録面と反対の面（以下、レーベル面という）に貼り付けるとい
うようなことを行っていた。
【０００４】
しかしながら、この方法では、ユーザは、専用のプリンタ装置を用意する必要や、その
専用プリンタ装置でのシートの印刷、印刷されたシートの光ディスクへの貼り付け等の煩
雑な作業を行う必要があった。
【０００５】
そこで、近年、再生時や記録時に光ディスクの記録面に照射されるレーザビームを光デ
ィスクのレーベル面となる所定領域に照射し、照射した部分の発色等を変化させることに
より、光ディスクの記録内容を可視的に認識するための可視情報（例えば、曲名や映画タ
イトル等を示す文字等からなる画像）を光ディスクのレーベル面に記録（以下、印刷とも
いう）できる光ディスク装置が提案されている（例えば、特許文献１、２参照）。
【０００６】
また、光ディスクの情報記録面に光スポットを形成して情報記録を行う光ピックアップ
と、情報記録面側の反対面となるラベル印刷面に光スポットを形成してラベル印刷を行う
印字ヘッドとを有する情報記録再生装置もある（例えば、特許文献３参照）。
【０００７】
また、第１の温度に加熱されると第１の状態となり第２の温度に加熱されると第２の状
態となる熱可逆性記録媒体からなるラベルを備えた光ディスク、及び、その光ディスクの
熱可逆性記録媒体を第１の状態にする第１の温度で発熱する記録部と、前記熱可逆性記録
媒体を第２の状態にする第２の温度で発熱する消去部とを備えた光ディスク装置がある（
例えば、特許文献４参照）。
【０００８】
また、光ディスクの書き換え可能なラベルに、番組情報サーバーから取得した番組タイ
トル等を自動プリントする記録再生装置もある（例えば、特許文献５参照）。
【特許文献１】特開２００２−２０３３２１号公報
【特許文献２】特開２００４−２１３８０２号公報
【特許文献３】特開２００２−２５１８６２号公報
【特許文献４】特開２０００−１７３２３８号公報
【特許文献５】特開２００４−８０５０７号公報
【発明の開示】
【発明が解決しようとする課題】
【０００９】
ところで、予め情報が記録されている光ディスクには、その記録内容を表示したり、デ
ザイン性を高めたり、その光ディスクの製造・販売メーカー等のメーカー名、ロゴ、その
他広告等を表示することによって広告機能を備えさせたりする目的でインデックスレーベ
ルが付加されているのが一般的である。例えば、音楽ＣＤにはそのレーベル面にタイトル
や曲名が所定の絵柄と共に印刷されているのが一般的であるし、ＣＤ−ＲＯＭにはその記
録内容が所定の絵柄と共に印刷されているのが一般的である。
【００１０】
しかしながら、追記型光ディスクや書換型光ディスクでは、ユーザ自らが光ディスクへ
の記録内容を可視的に認識するための可視情報をそのレーベル面に記録するという使い方
がなされ、この可視情報記録を、レーザビームを光ディスクのレーベル面となる所定領域
に照射することにより行う従来の光ディスク装置の場合、光ディスクのレーベル面に、そ
の光ディスクの製造・販売メーカー等のメーカー名、ロゴ、その他広告等を表示したイン
デックスレーベルが予め付加されていたり、予め他の可視情報が印刷されていたりすると
、記録内容を可視的に認識するための可視情報をレーザビームにより記録することが困難
になる。或いは、記録しても視認性が悪くなってしまう。
【００１１】
従って、そのような光ディスクのレーベル面には予め可視情報を印刷しておくというよ
うなことができないので、光ディスクの製造・販売メーカー等からすれば広告機能が失わ
れてしまうという問題や、ユーザ側からすれば可視情報記録前における光ディスクの識別
機能が失われてしまうという問題があった。
【００１２】
また、特許文献１、２に記載の従来の光ディスク装置の場合、ユーザは依然として煩雑
な作業を行う必要があった。即ち、ユーザは、電子情報の記録を行う際には、光ディスク
の記録面側にレーザビームが照射されるように光ディスクを装着し、光ディスクに可視情
報の記録を行う際には、光ディスクのレーベル面側にレーザビームが照射されるように光
ディスクを裏返して再装着するという煩雑な作業を行う必要があった。また、レーベル面
に予め他の可視情報が印刷等されている光ディスクは対象とすることができない。
【００１３】
これに対し、特許文献３に記載の従来の情報記録再生装置は、光ディスクを裏返して再
装着するという煩雑な作業を行うことなく、光ディスクへの情報の記録と印刷とを同じ装
置で行うことはできるが、光ディスクを挟むように対向して配置される光ピックアップと
印字ヘッドとを必要とするので、構成が複雑になるとともに、装置が大型化するという問
題があった。また、レーベル面に予め他の可視情報が印刷等されている光ディスクは対象
とすることができない。
【００１４】
また、特許文献４、５に記載の従来の光ディスク装置や記録再生装置は、光ディスクの
レーベル（ラベル）面に何度も所定の可視情報を書き換え記録することはできるが、これ
らの従来技術はレーザビームを使用して光ディスクのレーベル面に可視情報を記録するよ
うにしたものではない。
【００１５】
本発明は、上記の問題点を解決するためになされたもので、レーベル面に予め他の可視
情報が記録されている光ディスクであっても、その光ディスクを裏返して装着するという
煩雑な作業を行うことなく、レーザビームを照射することによりその光ディスクのレーベ
ル面に新たな可視情報を視認性良く形成することができる光ディスク装置を提供すること
を目的とする。
【課題を解決するための手段】
【００１６】
上記目的を達成するために、請求項１の発明は、グルーブが形成されており第１のレー
ザビームが照射されることにより電子情報の再生または記録がなされる情報記録層と、第
１のレーザビームとは異なる波長帯域の第２のレーザビームが第１の強度で照射された場
合には可視情報が消去され第２の強度で照射された場合には可視情報が記録されるレーベ
ル層と、前記情報記録層とレーベル層との間に設けられ第１のレーザビームについての反
射率が第２のレーザビームについての反射率よりも高い二色性反射膜とを備えた光ディス
クに対して、第１、第２のレーザビームを前記情報記録層側から照射することにより電子
情報及び可視情報の記録を行う光ディスク装置であって、第１のレーザビームを出射する
第１のレーザダイオードと、第１のレーザダイオードを駆動する第１のレーザダイオード
ドライバと、第２のレーザビームを出射する第２のレーザダイオードと、第２のレーザダ
イオードを駆動する第２のレーザダイオードドライバと、第１のレーザビームを前記情報
記録層に集光させるとともに第２のレーザビームを前記レーベル層に集光させる対物レン
ズと、前記対物レンズを前記光ディスクの径方向に駆動するトラッキングアクチュエータ
と、前記対物レンズを光軸方向に駆動するフォーカスアクチュエータと、第１のレーザビ
ームの前記二色性反射膜からの反射光を受光し受光した反射光に基づく受光信号を出力す
る受光素子とを有する光ピックアップと、前記受光信号に含まれる前記グルーブの位置情
報に基づいて前記トラッキングアクチュエータを駆動して前記光ディスクに照射されるレ
ーザビームのトラッキング制御を行うとともに、前記受光信号に含まれる前記情報記録層
における第１のレーザビームの焦点情報に基づいて前記フォーカスアクチュエータを駆動
して前記光ディスクに照射されるレーザビームのフォーカス制御を行うサーボ回路と、第
２のレーザダイオードドライバを制御して第２のレーザダイオードから出射される第２の
レーザビームの強度を与えられた強度指示信号に基づく強度に調整するレーザパワーコン
トロール回路と、第２のレーザビームの第１、第２の強度を示すレーザビーム強度情報を
インターネットを介して取得するレーザビーム強度情報取得手段と、出射される第２のレ
ーザビームの強度が前記レーザビーム強度情報取得手段で取得したレーザビーム強度情報
に基づく第１の強度または第２の強度になるように前記レーザパワーコントロール回路に
強度指示信号を与えるレーザビーム強度指示手段を有し、前記情報記録層に電子情報の記
録を行う際には、記録する電子情報に基づいて第１のレーザダイオードドライバを駆動す
るとともに第１の強度の第２のレーザビームが出射されるように第２のレーザダイオード
ドライバを駆動するように制御し、前記レーベル層に可視情報の記録を行う際には、第１
のレーザダイオードドライバを駆動するとともに第２の強度の第２のレーザビームが記録
する可視情報に基づいて出射されるように第２のレーザダイオードドライバを駆動するよ
うに制御する制御手段とを備えたことを特徴とする光ディスク装置を提供する。
【００１７】
この構成によれば、前記光ディスクの情報記録層に対して電子情報の記録を行う際には
、制御手段が、記録する電子情報に基づいて第１のレーザダイオードドライバを駆動する
ように制御することにより、第１のレーザダイオードから第１のレーザビームが前記光デ
ィスクの情報記録層に照射され、前記光ディスクの情報記録層に前記電子情報の記録がな
される。尚、このとき、照射された第１のレーザビームは前記光ディスクの二色性反射膜
で反射されるので、前記光ディスクのレーベル層に影響を及ぼすことはない。
【００１８】
また、このとき、前記制御手段が、第２のレーザダイオードから第１の強度の第２のレ
ーザビームが出射されるように第２のレーザダイオードドライバを駆動するように制御す
ることにより、前記レーベル層に対して前記光ピックアップの第２のレーザダイオードか
ら前記対物レンズを介して第１の強度の第２のレーザビームが前記情報記録層側から前記
レーベル層に照射され、照射された部分の可視情報が消去される。このとき、照射される
第２のレーザビームは前記二色性反射膜を透過して前記レーベル層に到達する。
【００１９】
また、前記光ディスクのレーベル層に可視情報を記録する際には、前記制御手段が、第
２の強度の第２のレーザビームが記録する可視情報に基づいて出射されるように第２のレ
ーザダイオードドライバを駆動するように制御することにより、前記可視情報が前記レー
ベル層に記録される。
【００２０】
このとき、第１のレーザビームも照射され、サーボ回路により、照射された第１のレー
ザビームの前記二色性反射膜からの反射光に基づく受光信号に含まれる前記情報記録層の
ピットまたはグルーブの位置情報に基づいて前記対物レンズを駆動するトラッキングアク
チュエータが駆動され前記光ディスクに照射されるレーザビームのトラッキング制御が行
われる。また、前記受光信号に含まれる前記情報記録層における第１のレーザビームの焦
点情報に基づいて前記対物レンズを駆動するフォーカスアクチュエータが駆動され前記光
ディスクに照射されるレーザビームのフォーカス制御が行われる。
【００２１】
これにより、第１、第２のレーザビームは同じ対物レンズにより集光されることから、
第１、第２のレーザビームの両方ともにトラッキング制御及びフォーカス制御がなされる
ことになる。
【００２２】
請求項２の発明は、第１のレーザビームが照射されることにより電子情報の再生または
記録がなされ第２のレーザビームが第１の強度で照射された場合には可視情報が消去され
第２の強度で照射された場合には可視情報が記録される光ディスクに対して、第１、第２
のレーザビームを照射することにより電子情報及び可視情報の記録を行う光ディスク装置
であって、出射される第２のレーザビームの強度を与えられた強度指示信号に基づく強度
に調整するレーザパワーコントロール回路と、出射される第２のレーザビームの強度が第
１の強度または第２の強度になるように前記レーザパワーコントロール回路に強度指示信
号を与えるレーザビーム強度指示手段を有し、電子情報の記録を行う際には、記録する電
子情報に基づいて第１のレーザビームが出射されるとともに第１の強度の第２のレーザビ
ームが出射されるように制御し、可視情報の記録を行う際には、第１のレーザビームが出
射されるとともに第２の強度の第２のレーザビームが記録する可視情報に基づいて出射さ
れるように制御する制御手段とを備えたことを特徴とする光ディスク装置を提供する。
【００２３】
この構成によれば、前記光ディスクに電子情報の記録を行う際には、制御手段が、記録
する電子情報に基づいて第１のレーザビームが出射されるように制御することにより、第
１のレーザビームが前記光ディスクに照射され、前記光ディスクに前記電子情報の記録が
なされる。また、このとき、前記制御手段が、第１の強度の第２のレーザビームが出射さ
れるように制御することにより、前記光ディスクに第１の強度の第２のレーザビームが照
射され、照射された部分の可視情報が消去される。
【００２４】
また、前記光ディスクに可視情報を記録する際には、前記制御手段が、第２の強度の第
２のレーザビームが記録する可視情報に基づいて出射されるように制御することにより、
前記可視情報が前記光ディスクに記録される。また、このとき、第１のレーザビームも照
射されるので、前記光ディスクに照射されるレーザビームのトラッキング制御及びフォー
カス制御を行うことが可能となる。
【００２５】
請求項３の発明は、グルーブが形成されており第１のレーザビームが照射されることに
より電子情報の再生または記録がなされる情報記録層と、第１のレーザビームとは異なる
波長帯域の第２のレーザビームが第１の強度で照射された場合には可視情報が消去され第
２の強度で照射された場合には可視情報が記録されるレーベル層と、前記情報記録層とレ
ーベル層との間に設けられ第１のレーザビームについての反射率が第２のレーザビームに
ついての反射率よりも高い二色性反射膜とを備えた光ディスクに対して、第１、第２のレ
ーザビームを前記情報記録層側から照射することにより電子情報及び可視情報の記録を行
う光ディスク装置であって、出射される第２のレーザビームの強度を与えられた強度指示
信号に基づく強度に調整するレーザパワーコントロール回路と、出射される第２のレーザ
ビームの強度が第１の強度または第２の強度になるように前記レーザパワーコントロール
回路に強度指示信号を与えるレーザビーム強度指示手段を有し、前記情報記録層に電子情
報の記録を行う際には、記録する電子情報に基づいて第１のレーザビームが出射されると
ともに第１の強度の第２のレーザビームが出射されるように制御し、前記レーベル層に可
視情報の記録を行う際には、第１のレーザビームが出射されるとともに第２の強度の第２
のレーザビームが記録する可視情報に基づいて出射されるように制御する制御手段とを備
えたことを特徴とする光ディスク装置を提供する。
【００２６】
この構成によれば、前記光ディスクの情報記録層に電子情報の記録を行う際には、制御
手段が、記録する電子情報に基づいて第１のレーザビームが出射されるように制御するこ
とにより、第１のレーザビームが前記情報記録層に照射され、前記情報記録層に前記電子
情報の記録がなされる。また、このとき、前記制御手段が、第１の強度の第２のレーザビ
ームが出射されるように制御することにより、前記レーベル層に第１の強度の第２のレー
ザビームが照射され、照射された部分の可視情報が消去される。尚、このとき、照射され
た第１のレーザビームは前記光ディスクの二色性反射膜で反射されるので、前記光ディス
クのレーベル層に影響を及ぼすことはなく、また、照射される第２のレーザビームは前記
二色性反射膜を透過して前記レーベル層に到達する。
【００２７】
また、前記光ディスクのレーベル層に可視情報を記録する際には、前記制御手段が、第
２の強度の第２のレーザビームが記録する可視情報に基づいて出射されるように制御する
ことにより、前記可視情報が前記レーベル層に記録される。また、このとき、第１のレー
ザビームも照射されるので、前記光ディスクに照射されるレーザビームのトラッキング制
御及びフォーカス制御を行うことが可能となる。尚、このとき、照射された第１のレーザ
ビームは前記光ディスクの二色性反射膜で反射されるので、前記光ディスクのレーベル層
に影響を及ぼすことはなく、また、照射される第２のレーザビームは前記二色性反射膜を
透過して前記レーベル層に到達する。
【００２８】
請求項４の発明では、請求項３の発明において、第２のレーザビームの第１、第２の強
度を示すレーザビーム強度情報をインターネットを介して取得するレーザビーム強度情報
取得手段を備え、前記レーザビーム強度指示手段は、出射される第２のレーザビームの強
度が前記レーザビーム強度情報取得手段で取得したレーザビーム強度情報に基づく第１の
強度または第２の強度になるように前記レーザパワーコントロール回路に強度指示信号を
与えるようにしている。
【００２９】
このようにすれば、インターネット上にレーザビーム強度情報が公開されていなければ
、光ディスクに記録した可視情報の消去が行えなくなるので、光ディスクに記録した可視
情報をユーザに消されたくない場合は、インターネット上にレーザビーム強度情報を公開
しないようにして、可視情報が消去されることを防止することができる。
【００３０】
請求項５の発明では、請求項３または請求項４の発明において、第１のレーザビームを
出射する第１のレーザダイオードと、第１のレーザダイオードを駆動する第１のレーザダ
イオードドライバと、第２のレーザビームを出射する第２のレーザダイオードと、第２の
レーザダイオードを駆動する第２のレーザダイオードドライバと、第１のレーザビームを
前記情報記録層に集光させるとともに第２のレーザビームを前記レーベル層に集光させる
対物レンズと、前記対物レンズを前記光ディスクの径方向に駆動するトラッキングアクチ
ュエータと、前記対物レンズを光軸方向に駆動するフォーカスアクチュエータと、第１の
レーザビームの前記二色性反射膜からの反射光を受光し受光した反射光に基づく受光信号
を出力する受光素子とを有する光ピックアップと、前記受光信号に含まれる前記グルーブ
の位置情報に基づいて前記トラッキングアクチュエータを駆動して前記光ディスクに照射
されるレーザビームのトラッキング制御を行うとともに、前記受光信号に含まれる前記情
報記録層における第１のレーザビームの焦点情報に基づいて前記フォーカスアクチュエー
タを駆動して前記光ディスクに照射されるレーザビームのフォーカス制御を行うサーボ回
路とをさらに備え、前記制御手段は、前記情報記録層に電子情報の記録を行う際には、記
録する電子情報に基づいて第１のレーザダイオードドライバを駆動するとともに第１の強
度の第２のレーザビームが出射されるように第２のレーザダイオードドライバを駆動する
ように制御し、前記レーベル層に可視情報の記録を行う際には、第１のレーザダイオード
ドライバを駆動するとともに第２の強度の第２のレーザビームが記録する可視情報に基づ
いて出射されるように第２のレーザダイオードドライバを駆動するように制御することを
特徴としている。
【００３１】
この構成によれば、サーボ回路により、照射された第１のレーザビームの二色性反射膜
からの反射光に基づく受光信号に含まれる前記光ディスクのグルーブの位置情報に基づい
て対物レンズを駆動するトラッキングアクチュエータが駆動され光ディスクに照射される
レーザビームのトラッキング制御が行われる。さらに、同時に、サーボ回路により、前記
受光信号に含まれる前記光ディスクの情報記録層における第１のレーザビームの焦点情報
に基づいて対物レンズを駆動するフォーカスアクチュエータが駆動され光ディスクに照射
されるレーザビームのフォーカス制御が行われる。これにより、第１、第２のレーザビー
ムは同じ対物レンズにより集光されることから、第１、第２のレーザビームの両方ともに
トラッキング制御及びフォーカス制御がなされることになる。
【００３２】
尚、本発明が適用される光ディスク装置において、「可視情報」とは、文字、記号、イ
ラストや写真等の画像、幾何学的な模様など、目視で読み取ることが可能な情報を意味し
、「電子情報」とは、デジタル記号で記録されている情報など、その内容を何らかの再生
装置で読み取る情報を意味する。
【発明の効果】
【００３３】
以上のように本発明によれば、光ディスクに電子情報の記録を行う際には、制御手段が
、記録する電子情報に基づいて第１のレーザビームが出射されるように制御することによ
り、第１のレーザビームが前記光ディスクに照射され、前記光ディスクに前記電子情報の
記録がなされ、また、このとき、前記制御手段が、第１の強度の第２のレーザビームが出
射されるように制御することにより、前記光ディスクに第１の強度の第２のレーザビーム
が照射され、照射された部分の可視情報が消去されるので、光ディスクに電子情報の記録
を行うと同時にその光ディスクに記録されている可視情報を消去することができる。
【００３４】
また、本発明によれば、前記光ディスクに可視情報を記録する際には、前記制御手段が
、第２の強度の第２のレーザビームが記録する可視情報に基づいて出射されるように制御
することにより、前記可視情報が前記光ディスクに記録され、また、このとき、第１のレ
ーザビームも照射されて、前記光ディスクに照射されるレーザビームのトラッキング制御
及びフォーカス制御を行うことが可能となるので、可視情報を消去した光ディスクに新た
な可視情報を正確に記録することができる。
【００３５】
また、本発明によれば、第１、第２のレーザビームをともに前記光ディスクの情報記録
層側から照射して電子情報の記録と可視情報の記録とを行うので、レーベル印刷を行うた
めに、ユーザが、専用のプリンタ装置を用意したり、光ディスクに別途、レーベル印刷し
たシートを貼ったり、或いは、光ディスクを裏返して再度、装置に装着したりするような
煩雑な作業をする必要がなくなる。
【発明を実施するための最良の形態】
【００３６】
以下、添付図面を参照しつつ、本発明の実施形態について説明するが、先ず、本実施形
態に係る光ディスク装置が対象とする光ディスクの構成について説明し、その後、本実施
形態に係る光ディスク装置の構成及び動作等について説明する。
【００３７】
図１は、本実施形態で想定した光ディスクの構造を示す側断面図である。ここでは、光
ディスクとして、ＣＤの再生及び／または記録機能を付随したＤＶＤの記録及び再生を行
う光ディスク装置を用いて、ＤＶＤ情報の記録及び再生が可能であるとともに、ＣＤにつ
いてのレーザビームを照射することにより可視情報の記録／消去を行うことを可能にした
ＤＶＤを想定する。
【００３８】
図１に示すＤＶＤ５０は、その厚みＴを１．２ｍｍとされ、また、基板５１、情報記録
層となる記録色素膜５２、色フィルタ（二色性反射膜）５３、レーベル層となる熱可逆性
層５５、及び、基板５４が、順に積層されて構成されている。尚、色フィルタ５３と熱可
逆性層５５との間には、色フィルタ５３と熱可逆性層５５とを貼り合わせるための接着剤
等から成る透明中間層５６が存在している。また、図１はＤＶＤ５０の構造を模式的に示
しており、各層の形状、寸法比率等はこの図に示される通りではない。
【００３９】
これらの各層のうち、記録色素膜５２の上には螺旋状にグルーブ５２ａが形成されてお
り、ＤＶＤ５０に電子情報の記録をする際には、このグルーブ５２ａ上にレーザビームが
集光されるように制御（フォーカス制御）されるとともに、このグルーブ５２ａに沿って
レーザビームが照射されるように制御（トラッキング制御）され、グルーブ５２ａ上に記
録データ長に対応するピットが形成される。
【００４０】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている電子情報の再生が行われる。
【００４１】
基板５１、５４は、例えば、ポリカーボネイト樹脂から成る。
【００４２】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００４３】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００４４】
【化１】
2006155812.tif 000003
【００４５】
図２に、上記したようなシアニン色素の光学的特性として、当該シアニン色素の吸光度
及び屈折率を示す。
【００４６】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００４７】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００４８】
熱可逆性層５５は、構成する材料として、常温では透明度又は色調が保持されながら、
エネルギーを印可することにより透明度又は色調が可逆的に変化するような材料であれば
どのようなものでも良いが、エネルギーの印可なしに常温で色調や透明度が異なる２以上
の形態を保持できることが望ましい。
【００４９】
例えば、脂肪酸などの有機低分子物質を樹脂中に分散したものであって第１の特定温度
で透明状態となり第２の特定温度に加熱後に白濁状態となるものは、変化が物理的変化で
あるために保存安定性が良く、感度及び耐久性も良いという利点があるので好ましい。
【００５０】
また、例えば、ロイコ色素と顕色剤とを含む材料で構成され、ロイコ色素として、第２
の強度のレーザビームが照射されることに起因して生じる熱により第２の特定温度になる
と顕色剤と化学変化を起こして黒、赤、青等に発色し、第１の強度のレーザビームが照射
されることに起因して生じる熱により第１の特定温度になると顕色剤と化学変化を起こし
て消色するようなものを用いて、カラー画像を形成できるようにしても良い。
【００５１】
ここでは、熱可逆性層５５の一例として、上述のような熱可逆性材料からなるいわゆる
ＴＣフィルムが用いられている。このような熱可逆性材料は、加えられる熱、即ち、照射
されるレーザビームの強度によってその透明度や色調が可逆的に変化し、常温で透明度又
は色調が２種類以上の形態で保持される構造のものである。
【００５２】
より詳細には、本実施形態の熱可逆性層５５の場合、第１の強度のレーザビームが照射
されると、照射された部分が第１の温度に加熱されて透明になり、その後、第１の温度以
下の常温に戻っても透明状態が維持される。そして、第１の強度よりも強い第２の強度の
レーザビームが照射されると、照射された部分が第２の温度以上に加熱されて半透明状態
になり、その後、第２の温度以下の常温に戻ると白濁する。
【００５３】
このような現象が生ずるのは、熱可逆性層５５を構成する樹脂母材中に分散した有機低
分子物質の粒子と樹脂母材とが隙間なく密着し、かつ、有機低分子物質の粒子部内にも空
隙がない状態において、片側から入射した光は散乱することなく反対側に透過するために
熱可逆性層５５が透明に見え、これに対し、有機低分子物質の粒子の微細な結晶が集合し
て多結晶で構成されると、結晶の界面もしくは粒子と樹脂母材との界面に隙間が生じ、片
側から入射した光が空隙と結晶、結晶と樹脂の界面で屈折・反射して散乱するために熱可
逆性層５５が白く見えるためである。
【００５４】
また、所定の帯域の光（例えば、波長７８０ｎｍの赤外光）の照射により可視光特性を
変化させるレーベル層を有する従来の光ディスクの場合、そのレーベル層には、照射され
る前記所定の帯域の光を案内するためのグルーブが形成されている必要があったが、この
熱可逆性層５５には、そのようなグルーブを形成する必要はない。従って、レーベル層で
ある熱可逆性層５５にグルーブを形成するための製造工程やその工程で使用される金型等
が不要となるので、ＤＶＤ５０の製造コストは従来のものよりも低減することになる。
【００５５】
ＤＶＤ５０は、上記のような各層を備えるよう製造されるのであれば、製造方法を問う
ものではないが、例えば、基板５１上に記録色素膜５２及び色フィルタ５３を蒸着させた
ものと、基板５４上にＴＣフィルムである熱可逆性層５５を積層させたものとを、色フィ
ルタ５３側と熱可逆性層５５とを対向させて透明中間層５６を構成する接着剤等で貼り合
わせることにより製造することができる。尚、透明中間層５６は透明であることが好まし
い。
【００５６】
次に、上述したＤＶＤ５０に対して可視情報の記録／消去を行うことのできる光ディス
ク装置を説明する。図３は、本実施形態に係るＤＶＤレコーダ（光ディスク装置）の構成
を示すブロック図である。図３に示すＤＶＤレコーダは、インターネット接続機能を有し
、ＣＤの再生及び／または記録機能を付随したＤＶＤの再生及び記録を行うＤＶＤレコー
ダである。
【００５７】
図３に示すように、ＤＶＤレコーダ１００は、ディスクドライバ１１０と本体部１２０
とから構成されている。ディスクドライバ１１０は、光ピックアップ１０、フロントエン
ドプロセッサ（ＦＥＰ）１３、レーザパワーコントロール（ＬＰＣ）回路１４ａ、１４ｂ
、サーボ回路１５、モータ駆動回路１６、ディスク制御部１７、ステッピングモータ１８
、ドライバ１９、モータコントローラ２０、スピンドルモータ２１を備えている。
【００５８】
スピンドルモータ２１は、記録再生の対象となるＤＶＤ５０を回転駆動するためのモー
タであり、モータ駆動回路１６によりその回転数が制御される。モータ駆動回路１６には
、ディスク制御部１７からの指示信号、及び、スピンドルモータ２１またはスピンドルモ
ータ２１に設けられたセンサ等からフィードバックされるスピンドルモータ２１の回転数
に応じた周波数のパルス信号が供給され、モータ駆動回路１６は、これらの供給される信
号に基づいてスピンドルモータ２１の回転制御を行う。尚、スピンドルモータ２１の回転
駆動方式には、ＤＶＤ５０を角速度一定で回転駆動する方式（ＣＡＶ方式：Constant Ang
ular Velocity）や、一定の記録線速度となるようにＤＶＤ５０を回転駆動する方式（Ｃ
ＬＶ方式：Constant Linear Velocity）があるが、いずれを用いるようにしてもよい。
【００５９】
光ピックアップ１０は、スピンドルモータ２１により回転駆動されるＤＶＤ５０に対し
てレーザビームを照射するユニットである。
【００６０】
図４に光ピックアップ１０の構成を示す。図４に示すように、光ピックアップ１０は、
ＤＶＤの再生または記録用に使用される波長６６０ｎｍの赤色光であるレーザビームＬ１
を出射するレーザダイオード３７ａと、ＣＤの再生または記録用及びレーベル印刷用に使
用される波長７８０ｎｍの赤外光であるレーザビームＬ２を出射するレーザダイオード３
７ｂと、レーザダイオード３７ａを駆動するレーザダイオードドライバ（ＬＤＤ）１１ａ
と、レーザダイオード３７ｂを駆動するレーザダイオードドライバ（ＬＤＤ）１１ｂと、
レーザビームＬ１、Ｌ２をＤＶＤ５０（記録色素膜５２や熱可逆性層５５）に集光させる
ための光学系４０と、反射光を受光する受光素子３６と、受光素子３６からの受光信号を
増幅するヘッドアンプ（ＨＡ）１２とを備えている。
【００６１】
ＬＤＤ１１ａは、図３に示すディスク制御部１７からの指示信号と、ＬＰＣ回路１４ａ
からの制御信号に従ってレーザダイオード３７ａを駆動し、ＬＤＤ１１ｂは、ディスク制
御部１７からの指示信号と、ＬＰＣ回路１４ｂからの制御信号に従ってレーザダイオード
３７ｂを駆動する。
【００６２】
レーザダイオード３７ａは、ＬＤＤ１１ａから駆動電流が供給されると、該駆動電流に
応じた強度のレーザビームＬ１を出射する。そして、レーザダイオード５３ａより出射さ
れたレーザビームＬ１は回折格子３８ａにより主ビームと２つの副ビーム（先行ビーム、
後行ビーム）に分離され、これら３つのレーザビームＬ１は偏光ビームスプリッタ３９ａ
、３９ｂ、コリメータレンズ３０、１／４波長板３１、対物レンズ３２を経て、図５に示
すように、ＤＶＤ５０の記録面である記録色素膜５２に集光される。
【００６３】
このレーザビームＬ１は、ＤＶＤ５０の色フィルタ５３において反射されるので、記録
色素膜５２に対する情報の再生または記録のために照射されるレーザビームＬ１が、熱可
逆性層５５に対して、画像形成として意図しない画像を形成してしまうなどの悪影響を及
ぼすことを回避することができる。
【００６４】
そして、ＤＶＤ５０の色フィルタ５３で反射された３つのレーザビームＬ１は、再び、
対物レンズ３２、１／４波長板３１、コリメータレンズ３０、偏光ビームスプリッタ３９
ｂを透過し、偏向ビームスプリッタ３９ａで反射されて、シリンドリカルレンズ３３を経
て、受光素子３６に入射するようになっている。
【００６５】
そして、受光素子５６は、受光した信号をヘッドアンプ１２に出力し、該受光信号がヘ
ッドアンプ１２で増幅されて図３に示すＦＥＰ１３やサーボ回路１５に供給されるように
なっている。ＦＥＰ１３は、所定の変調が施されているこの受光信号を復調してディスク
制御部１７に供給する。
【００６６】
また、サーボ回路１５には、この受光信号に含まれる、トラッキング制御に使用される
グルーブ５２ａの位置情報や、フォーカス制御に使用される記録色素膜５２に集光してい
るレーザビームＬ１の焦点に関する情報（焦点情報）が供給されることになる。このトラ
ッキング制御、フォーカス制御については詳細を後述する。
【００６７】
一方、レーザダイオード３７ｂは、ＬＤＤ１１ｂから駆動電流が供給されると、該駆動
電流に応じた強度のレーザビームＬ２を出射する。そして、レーザダイオード５３ｂより
出射されたレーザビームＬ２は回折格子３８ｂにより主ビームと２つの副ビーム（先行ビ
ーム、後行ビーム）に分離され、これら３つのレーザビームＬ２は偏光ビームスプリッタ
３９ｂ、コリメータレンズ３０、１／４波長板３１、対物レンズ３２を経て、図５に示す
ように、ＤＶＤ５０のレーベル面である熱可逆性層５５に集光される。尚、対物レンズ３
２にはホログラムが形成されており、これにより、入射するレーザビームの波長の違いで
スポット位置が異なるようになっている。
【００６８】
また、光ピックアップ１０は、図示しない２つのフロントモニタダイオードを有してお
り、レーザダイオード３７ａ、３７ｂがレーザビームを出射しているときに、それぞれの
出射光を受光した各フロントモニタダイオードに電流が生じ、その各電流が図３に示すＬ
ＰＣ回路１４ａ、１４ｂに供給されるようになっている。そして、ＬＰＣ回路１４ａ、１
４ｂは、それぞれ、ディスク制御部１７によって指示されるレーザパワーの目標値と一致
する値のレーザパワーがレーザダイオード３７ａ、３７ｂから出射されるようにＬＤＤ１
１ａ、１１ｂを制御する。ここで行われるＬＰＣ回路１４ａ、１４ｂによるレーザパワー
制御は、前記フロントモニタダイオードから供給される電流値を用い、目標となる強度の
レーザビームがレーザダイオード３７ａ、３７ｂから照射されるように制御するフィード
バック制御である。
【００６９】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、サーボ回路１５から供給されるフォーカスエラー（ＦＥ）信号及びトラ
ッキングエラー（ＴＥ）信号に応じて対物レンズ３２を光軸方向および径方向に移動させ
る。
【００７０】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００７１】
ここで、光ピックアップ１０から出射されＤＶＤ５０に照射される上述した３つのレー
ザビームＬ１は、主ビームのスポット中心がＤＶＤ５０の１つのグルーブ５２ａ（図１参
照）の中心に位置したときに、一方の副ビームのスポットがそのグルーブ５２ａの内側面
に、他方の副ビームのスポットがそのグルーブ５２ａの外側面にそれぞれかかるような位
置関係にある。
【００７２】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａの中心に対して内側／外側のどちら側にどれだけズレ
ているのか、即ち、トラッキングエラー量を知ることができる。そして、サーボ回路１５
は、そのトラッキングエラー量をゼロにするためのＴＥ信号を生成し、そのＴＥ信号でト
ラッキングアクチュエータ３５を制御することで、ＤＶＤ５０が偏心回転しても、主ビー
ムを目標とするグルーブ５２ａの中心に正確にトレースさせることができる（トラッキン
グ制御）。尚、このトラッキング制御は、上述した３ビーム方式以外に、位相差方式（１
ビームトラッキング方式）で行うようにしても良い。
【００７３】
また、受光素子３６は、図６に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００７４】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上に正確に合わせることができる（フォーカス制御）。
【００７５】
図３に戻り、ステッピングモータ１８は、セットされたＤＶＤ５０の径方向に光ピック
アップ１０を移動させるためのモータである。モータドライバ１９は、モータコントロー
ラ２０から供給されるパルス信号に応じた量だけステッピングモータ１８を回転駆動する
。モータコントローラ２０は、ディスク制御部１７から指示される光ピックアップ１０の
径方向への移動方向および移動量を含む移動開始指示にしたがって、移動量や移動方向に
応じたパルス信号を生成し、モータドライバ１９に出力する。即ち、ステッピングモータ
１８が光ピックアップ１０をＤＶＤ５０の径方向に移動させること、及び、スピンドルモ
ータ２１がＤＶＤ５０を回転させることにより、光ピックアップ１０のレーザビーム照射
位置をＤＶＤ５０の様々な位置に移動させることができる。
【００７６】
また、ディスク制御部１７は、図示しないＣＰＵ（Central Processing Unit）、ＲＯ
Ｍ（Read Only Memory）、ＲＡＭ（Random Access Memory）、バッファメモリ等を備えて
おり、ＣＰＵは、ＲＯＭに格納されたファームウェア（プログラム）にしたがってディス
クドライバ１１０の各部を制御し、ＤＶＤ５０に対する再生または記録のための各種処理
、及び、レーベル印刷のための各種処理を中枢的に制御している。尚、ＲＡＭは各種処理
時のワークメモリとして使用される。
【００７７】
また、ディスク制御部１７は、本実施形態の特徴とする構成要素として、光ピックアッ
プ１０から出射されるレーザビームＬ１、Ｌ２の強度を指示するレーザビーム強度指示手
段１７ａを有しており、レーザビーム強度指示手段１７ａからＬＰＣ１４ａ、１４ｂに与
えられる強度指示信号によりＬＤＤ１１ａ、１１ｂから出射されるレーザビームＬ１、Ｌ
２の強度が変わるようになっている。尚、このレーザビーム強度指示手段１７ａは、例え
ば、プログラムによって実現可能である。
【００７８】
再生時には、レーザダイオード３７ａから再生レベルのレーザビームを出射させるため
に、ＬＤＤ１１ａ及びＬＰＣ回路１４ａにディスク制御部１７から照射指示信号及び強度
指示信号が与えられる。この再生レベルとは、上述したサーボ回路１５によるフォーカス
制御及びトラッキング制御のために必要な反射光が得られるレベルを言い、この再生レベ
ルのレーザビームＬ１では、ＤＶＤ５０の記録色素膜５２に記録されている電子情報（ピ
ット）を読み取ることはできるが、記録色素膜５２への電子情報の記録を行うことはでき
ない。そして、ＤＶＤ５０の記録色素膜５２から読み出されＦＥＰ１３で復調されたビデ
オデータ等の各種データが本体部１２０を介して外部の各種再生手段（不図示）へ送信さ
れて再生される。
【００７９】
また、電子情報の記録時には、ＤＶＤ５０に記録する電子情報であるビデオデータ等が
本体部１２０から送信され、ディスク制御部１７内のバッファメモリに蓄積される。そし
て、ディスク制御部１７は、このバッファメモリに蓄積された電子情報に基づいてレーザ
ダイオード３７ａから記録レベルのレーザビームＬ１を出射させるためにＬＤＤ１１ａ及
びＬＰＣ回路１４ａに照射指示信号及び強度指示信号を与え、ＤＶＤ５０の記録色素膜５
２に電子情報の記録を行う。この記録レベルとは、記録色素膜５２に電子情報（ピット）
を書き込む照射パワーのレベルを言う。
【００８０】
また、このとき、ディスク制御部１７は、熱可逆性層５５を第１の特定温度にして透明
状態にするために必要な第１の強度のレーザビームＬ２をレーザダイオード３７ｂから出
射させるようにＬＤＤ１１ｂ及びＬＰＣ回路１４ｂに照射指示信号及び強度指示信号を与
え、これにより、熱可逆性層５５のレーザビームＬ２の照射された部分が透明状態となり
、熱可逆性層５５に形成されていた画像が消去される。
【００８１】
また、レーベル印刷時には、印刷される画像データが本体部１２０から送信されバッフ
ァメモリに蓄積される。この画像データとは、円盤状の光ディスクの面上に画像を形成す
るためのデータ、即ち、光ディスクのレーベル面に形成する画像のビットマップデータを
極座標形式のデータに変換したものであり、光ディスクの中心点を中心とする多数の同心
円上の複数の各座標点毎にその点の階調度（濃淡）を示す情報が記述されているデータで
ある。
【００８２】
そして、ディスク制御部１７は、レーベル印刷時には、バッファメモリに蓄積された画
像データに基づいて、熱可逆性層５５を第２の特定温度にして白濁状態にするために必要
な第２の強度のレーザビームＬ２をレーザダイオード３７ｂから出射させるためにＬＤＤ
１１ｂ及びＬＰＣ回路１４ｂに照射指示信号及び強度指示信号を与え、これにより、熱可
逆性層５５のレーザビームＬ２の照射された部分が白濁して、熱可逆性層５５に画像が形
成される。
【００８３】
次に、ディスクドライバ１１０を制御し、ディスク制御部１７との間で各種データを送
受信する本体部１２０の構成を説明する。本体部１２０は、外部のインターネット１３０
に接続されたインターネット接続部２２と、メインＣＰＵ２３と、ＤＶＤレコーダ１００
の各構成要素及びＤＶＤレコーダ１００全体を制御するシステム制御部２４と、内蔵する
ハードディスクに各種データ等を記憶するハードディスクドライブ（ＨＤＤ）２５と、入
力部２６とを備えている。尚、インターネット１３０には、ＤＶＤ５０のような光ディス
クを製造・販売するメーカーであるＡ社、Ｂ社、Ｃ社のサーバが接続されている。
【００８４】
入力部２６は、スイッチ、ボタン或いはリモコン等から構成され、ユーザの操作内容に
応じた信号をシステム制御部２４へ出力するものである。これにより、ユーザは、種々の
データを本体部１２０に入力することができ、ＤＶＤレコーダ１００を操作することがで
きる。
【００８５】
メインＣＰＵ２３は、図示しないＲＡＭ、ＲＯＭを有しており、ＲＡＭを作業領域とし
てＲＯＭに格納されたプログラム及びデータや、入力部２６からの信号に従った演算処理
を行い、この演算処理によってシステム制御部２４を制御する。
【００８６】
また、システム制御部２４は、本実施形態の特徴とする構成要素として、ディスク制御
部１７のレーザビーム強度指示手段１７ａに登録されレーザビームＬ２の第１、第２の強
度を示すレーザビーム強度情報をインターネット１３０を介して外部のサーバからダウン
ロードして取得するレーザビーム強度情報取得手段２４ａを有している。尚、このレーザ
ビーム強度情報取得手段２４ａは、例えば、プログラムによって実現可能である。
【００８７】
次に、このような構成のＤＶＤレコーダ１００におけるＤＶＤ５０への電子情報記録動
及びレーベル印刷動作を、図７及び図８に示すフローチャートを参照して説明する。ここ
で、ＤＶＤレコーダ１００には既にＤＶＤ５０がセットされ、ＨＤＤ２５にはＤＶＤ５０
に記録する電子情報としてのビデオデータが記録されているものとする。また、ＤＶＤ５
０のレーベル層である熱可逆層５５には、ＤＶＤ５０の製造・販売メーカーによって予め
、その製造・販売メーカーのメーカー名、ロゴ、その他広告等を表示した画像等が形成さ
れているものとする。
【００８８】
先ず、ユーザにより入力部２６が操作されてシステム制御部２４に、例えば、ＨＤＤ２
５に記録されているビデオデータをＤＶＤ５０に記録するコピー指示信号が与えられると
、システム制御部２４は、レーザビーム強度取得手段２４ａによってディスクドライバ１
１０を制御して、ＤＶＤ５０のリードインエリアに予め記録されているＤＶＤ５０の製造
・販売メーカーのサーバ（Ａ社サーバ、Ｂ社サーバ、Ｃ社サーバなど）を示すＵＲＬ（Un
iform Resource Locator）を読み出す（ステップＳ１）。
【００８９】
そして、読み出したＵＲＬのサーバにインターネット接続部２２からインターネット１
３０経由でアクセスして、ＤＶＤ５０の熱可逆層５５を透明状態にするための第１の強度
のレーザビームＬ２の強度情報、及び、熱可逆層５５を白濁状態にするための第２の強度
のレーザビームＬ２の強度情報をそのサーバからダウンロードして取得し（ステップＳ２
）、ディスク制御部１７のレーザビーム強度指示手段１７ａに登録する（ステップＳ３）
。
【００９０】
尚、一般的に、再生レベル／記録レベルのレーザビームＬ１の強度情報は、予め、ＤＶ
Ｄ５０のリードインエリアに記録されており、これと同様に、第１、第２の強度のレーザ
ビームＬ２の強度情報も、予め、ＤＶＤ５０のリードインエリアに記録されているように
しても良いが、サーバからダウンロードさせるようにすれば、インターネット上にレーザ
ビーム強度情報が公開されていなければ、光ディスクに記録した可視情報の消去が行えな
くなるので、光ディスクに記録した可視情報をユーザに消されたくない場合は、インター
ネット上にレーザビーム強度情報を公開しないようにして、可視情報が消去されることを
防止することができる。
【００９１】
次に、ディスク制御部１７は、光ピックアップ１０の位置（ＤＶＤ５０に対する径方向
の位置）を初期化する。即ち、モータコントローラ２０に移動指示信号を与えて、ドライ
バ１９によりステッピングモータ１８を回転させ、光ピックアップ１０をＤＶＤ５０の径
方向の最内周側の初期位置に移動させる（ステップＳ４）。
【００９２】
そして、ディスク制御部１７は、モータ駆動回路１６に回転指示信号を与えて、スピン
ドルモータ２１によりＤＶＤ５０を所定速度で回転させる（ステップＳ５）。
【００９３】
そして、ディスク制御部１７は、ＬＤＤ１１ａ及びＬＰＣ回路１４ａに照射指示信号及
び強度指示信号を与え、レーザダイオード３７ａから再生レベルのレーザビームＬ１をＤ
ＶＤ５０へ照射させるとともに、ＬＤＤ１１ｂ及びＬＰＣ回路１４ｂに照射指示信号及び
強度指示信号を与え、レーザダイオード３７ｂから第１の強度のレーザビームＬ２をＤＶ
Ｄ５０へ照射させる（ステップＳ６）。尚、以後、照射されたレーザビームＬ１のレーベ
ル面５９からの反射光の信号であるヘッドアンプ１２からの受光信号に基づいて、上述し
たサーボ回路１５によるフォーカス制御及びトラッキング制御が行われる。
【００９４】
そして、ディスク制御部１７は、バッファメモリに蓄積されているビデオデータに基づ
いてＬＰＣ回路１４ａに照射指示信号を与え、レーザダイオード３７ａから照射されるレ
ーザビームＬ１の照射パワーが再生レベルと記録レベルとに切り替えられる。これにより
、記録色素膜５２へのビデオデータの記録がなされる（ステップＳ７）。
【００９５】
このとき同時に、レーザダイオード３７ｂから第１の強度のレーザビームＬ２がＤＶＤ
５０の熱可逆性層５５へ照射されているので、記録色素膜５２へのビデオデータの記録が
進行するにつれて、ＤＶＤ５０の熱可逆性層５５に予め形成されていた画像等が消去され
ることになる。
【００９６】
また、このとき、ＤＶＤ５０の熱可逆性層５５上に照射されるレーザビームＬ２は、照
射されているレーザビームＬ１（再生レベルまたは記録レベルのいずれか）の反射光に基
づいて対物レンズ３２がサーボ回路１５によりフォーカス制御及びトラッキング制御され
ているので、熱可逆性層５５上の照射目標位置の座標点に正確に位置合わせ及びピント調
整されている。
【００９７】
即ち、ＤＶＤ５０の熱可逆性層５５には、フォーカス制御及びトラッキング制御のため
のグルーブが設けられておらず、また、照射するレーザビームＬ２の反射光に基づくフォ
ーカス制御及びトラッキング制御を行うことなく、熱可逆性層層５５上の照射目標位置に
正確にレーザビームＬ２が照射される。これにより、ＤＶＤ５０の熱可逆性層５５に予め
形成されていた画像を正確に消去することができる。
【００９８】
そして、ディスク制御部１７は、光ピックアップ１０がＤＶＤ５０の最外周部に到達し
たか否かを判断し（ステップＳ８）、到達していない場合はステップＳ７の工程を継続し
、到達した場合は、ＬＤＤ１１ｂを制御してレーザダイオード３７ｂからのレーザビーム
Ｌ２の照射を停止する（ステップＳ９）。この到達した時点で、ＤＶＤ５０の熱可逆性層
５５に予め形成されていた画像の消去が完了する。尚、このとき、再生レベルのレーザビ
ームＬ１のＤＶＤ５０への照射は継続させている。
【００９９】
次にレーベル印刷動作に移行し、レーベル印刷する画像、即ち、ＤＶＤ５０の熱可逆性
層５５に形成する可視画像の画像データがシステム制御部２４からディスク制御部１７へ
与えられ、ディスク制御部１７は、与えられた画像データをディスク制御部１７内のバッ
ファメモリに蓄積する（ステップＳ１０）。尚、この画像データは、記録したビデオデー
タに含まれる静止画像のサムネイル（縮小画像）や、予めユーザにより作成されＨＤＤ２
５に記憶されていた記録するビデオデータに対応する画像等が考えられる。
【０１００】
そして、ディスク制御部１７は、光ピックアップ１０の位置（ＤＶＤ５０に対する径方
向の位置）を再度、ステップＳ４と同様に初期化した後（ステップＳ１１）、バッファメ
モリに蓄積されている画像データに基づいて光ピックアップ１０を移動させながらＬＤＤ
１１ｂ及びＬＰＣ回路１４ｂに照射指示信号及び強度指示信号を与えて、レーザダイオー
ド３７ｂから第２の強度のレーザビームＬ２をＤＶＤ５０の熱可逆性層５５に照射させる
（ステップＳ１２）。これにより、ＤＶＤ５０の熱可逆性層５５に画像が形成される。
【０１０１】
このとき、ＤＶＤ５０の熱可逆性層５５上に照射されるレーザビームＬ２は、照射され
ているレーザビームＬ１（再生レベル）の反射光に基づいて対物レンズ３２がサーボ回路
１５によりフォーカス制御及びトラッキング制御されているので、熱可逆性層５５上の照
射目標位置の座標点に正確に位置合わせ及びピント調整されている。
【０１０２】
即ち、ＤＶＤ５０の熱可逆性層５５には、フォーカス制御及びトラッキング制御のため
のグルーブが設けられておらず、また、照射するレーザビームＬ２の反射光に基づくフォ
ーカス制御及びトラッキング制御を行うことなく、熱可逆性層層５５上の照射目標位置に
正確にレーザビームＬ２が照射される。これにより、ＤＶＤ５０の熱可逆性層５５に所望
の画像を正確に形成することができる。
【０１０３】
そして、ディスク制御部１７は、バッファメモリに蓄積されている画像データのすべて
に対するレーザビームＬ２の照射による画像形成処理を行ったか否か、即ち、形成すべき
画像を形成し終えたか否かを判別し（ステップＳ１３）、まだ、形成し終えていないと判
別したときは、ステップＳ１２に戻り、画像形成を継続する。
【０１０４】
一方、形成すべき画像を形成し終えたと判別したときは（ステップＳ１３）、ＬＤＤ１
１ａへの照射指示信号を停止し、レーザダイオード３７ａからのレーザビームＬ１の照射
を停止するとともに、モータ駆動回路１６を制御してモータ２１によるＤＶＤ５０の回転
を停止させる（ステップＳ１４）。
【０１０５】
以上で、画像形成動作、即ち、レーベル印刷が終了する。このようにして、熱可逆性層
５５に予め形成されていた画像等が一旦、消去された後、熱可逆性層５５に新たな画像が
形成される。
【０１０６】
従って、光ディスクのレーベル面に予めその光ディスクの製造・販売メーカー等のメー
カー名、ロゴ、その他広告等を表示した可視情報を形成しておくことができるので、光デ
ィスクの製造・販売メーカー等からすれば広告機能が失われることがなくなり、ユーザ側
からすれば光ディスクの識別機能が失われることがなくなる。
【０１０７】
また、予め形成されている可視情報を一旦、消去してから記録内容を可視的に認識する
ための新たな可視情報をレーザビームにより記録するので、新たに形成された可視情報の
視認性が悪くなるということもなくなる。
【０１０８】
また、ユーザは、ＤＶＤ５０の記録面を光ピックアップ１０に対向させるようにしてＤ
ＶＤレコーダ１００に一度セットすれば、従来の光ディスク装置と同様にＤＶＤ５０の記
録面に電子情報の記録をするだけでなく、レーベル面に画像を形成することができる。こ
のためユーザは、専用のプリンタ装置を用意する必要はなく、情報が記録されているＤＶ
Ｄに別途印刷したラベルシートを貼ったり、或いは、レーベル印刷を行うためにＤＶＤ５
０を裏返して再度セットしたりするような煩雑な作業をする必要がなくなる。
【０１０９】
また、本実施形態に示すＤＶＤレコーダ１００は、ＤＶＤ５０の記録面への電子情報記
録とレーベル面の消去とを同時進行で行うので、レーベル面の消去に要する時間が別途か
かることはない。即ち、光ディスクのレーベル面の消去を効率良く行うことができる。
【０１１０】
また、以上説明した本実施形態に示す光ディスクはＤＶＤであり、光ディスク装置はＤ
ＶＤの再生または記録用の光ディスク装置であったが、本発明は他の光ディスク及び光デ
ィスク装置にも適用することが可能である。具体的には、例えば、ＣＤや、次世代ＤＶＤ
である４０５ｎｍ帯域のレーザビームを用いて再生／記録を行う光ディスクに立体的な可
視情報を形成する例についても、本発明は適用可能である。
【０１１１】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１１２】
【図１】本発明の一実施形態の光ディスク装置が対象とする光ディスクの一例であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態のＤＶＤレコーダ（光ディスク装置）の構成を示すブロック図である。
【図４】図３に示す光ピックアップの構成を示す図である。
【図５】図３に示す光ピックアップから出射されるレーザビームの光路を説明するための図である。
【図６】図３に示す受光素子の構成を示す図である。
【図７】図３に示すＤＶＤレコーダのＤＶＤへの電子情報記録動及びレーベル印刷動作を説明するためのフローチャートである。
【符号の説明】
【０１１３】
１０    光ピックアップ
１１ａ    レーザダイオードドライバ（ＬＤＤ、第１のレーザダイオードドライバ）
１１ｂ    レーザダイオードドライバ（ＬＤＤ、第２のレーザダイオードドライバ）
１２    ヘッドアンプ（ＨＡ）
１３    フロントエンドプロセッサ（ＦＥＰ）
１４ａ、１４ｂ    レーザパワーコントロール（ＬＰＣ）回路
１５    サーボ回路
１６    モータ駆動回路
１７    ディスク制御部（制御手段）
１７ａ    レーザビーム強度指示手段
１８    ステッピングモータ
１９    ドライバ
２０    モータコントローラ
２１    スピンドルモータ
２２    インターネット接続部
２３    メインＣＰＵ
２４    システム制御部
２４ａ    レーザビーム強度情報取得手段
２５    ハードディスクドライブ（ＨＤＤ）
２６    入力部
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７ａ    レーザダイオード（第１のレーザダイオード）
３７ｂ    レーザダイオード（第２のレーザダイオード）
３８ａ、３８ｂ    回折格子
３９ａ、３９ｂ    偏光ビームスプリッタ
４０    光学系
５０    ＤＶＤ（光ディスク）
５１、５４    基板
５２    色素記録膜（情報記録層）
５２ａ    グルーブ
５３    色フィルタ（二色性反射膜）
５５    熱可逆性層（レーベル層）
５６    透明中間層
１００    光ディスク装置
１１０    ディスクドライバ
１２０    本体部
１３０    インターネット
Ｌ１    レーザビーム（第１のレーザビーム）
Ｌ２    レーザビーム（第２のレーザビーム）
【図１】
2006155812.tif 000004
【図２】
2006155812.tif 000005
【図３】
2006155812.tif 000006
【図４】
2006155812.tif 000007
【図５】
2006155812.tif 000008
【図６】
2006155812.tif 000009
【図７】
2006155812.tif 000010